(57)【特許請求の範囲】
【請求項１】
複数の電子回路パッケージを全体として本棚に並べた複数の本のように水平方向に挿抜自在に搭載した電子回路パッケージの搭載枠と、
これら複数の電子回路パッケージにそれぞれ接続されるコネクタ付ケーブルを収容し、収容時にはコネクタ付ケーブルの収容された部分を含めて全体として上下方向に所定の収容幅を有するケーブルサポートと、
このケーブルサポートを、その上限位置では前記収容幅の下端部がケーブルサポートの収容するコネクタ付ケーブルと接続された電子回路パッケージが水平方向に抜き出される際に通過する空間領域の下端位置よりも上側に位置し、下限位置では前記収容幅の上端部が前記空間領域の下端位置よりもよりも下側に位置するような範囲で、前記搭載枠に対して上下動自在に配置したスライド手段と、
このスライド手段を前記上限位置と下限位置の２つの位置を機械的な異なる２つの安定位置にそれぞれ対応させることでロックする２位置ロック手段
とを具備することを特徴とするコネクタ付きケーブルの収容構造。
【請求項２】
前記ケーブルサポートは雨樋状の形状をしておりこれにコネクタ付きケーブルをそれぞれの電子回路パッケージと対応する位置でほう縛するほう縛部が配置されていることを特徴とする請求項１記載のコネクタ付きケーブルの収容構造。
【請求項３】
前記ケーブルサポートはＵ字状に曲げた丸棒を所定の水平面に一定間隔で平行に配置した構造となっており、これにコネクタ付きケーブルをそれぞれの電子回路パッケージと対応する位置でほう縛するほう縛部が配置されていることを特徴とする請求項１記載のコネクタ付きケーブルの収容構造。
【請求項４】
スライド手段は前記電子回路パッケージの搭載枠に固定された固定部と、この固定部に対して上下動自在に配置された可動部を備え、前記２位置ロック手段は、前記可動部が前記上限位置あるいは下限位置に移動したとき上下方向にその位置をロックする上下方向位置ロック手段と、押しボタンを有しこれを押した状態で上下方向位置ロック手段による上下方向の位置のロックを解除するロック解除手段とを具備することを特徴とする請求項１記載のコネクタ付きケーブルの収容構造。
【発明の詳細な説明】
【０００１】
【発明の属する技術分野】
本発明はブックシェルフ実装構造の電子回路パッケージに接続されたコネクタ付きケーブルの収容構造に係わり、詳細にはコネクタ付きケーブルをほう縛したケーブルサポートを移動するようにしたコネクタ付きケーブルの収容構造に関する。
【０００２】
【従来の技術】
コネクタ付きケーブルを接続した電子回路パッケージが複数存在するときには、これらを本棚状に搭載したブックシェルフ実装構造を採用することが多い。このようなブックシェルフ実装構造で、これらのコネクタ付きケーブルの収容には、従来から固定式ケーブルサポートが使用されている。
【０００３】
図１７および図１８は、従来の固定式ケーブルサポートを示したものであり、このうち図１７は正面から、図１８は側面から見たものである。この図で示したブックシェルフ実装構造１１は、図１８に示したように電子回路パッケージ１２を本棚状に多数配置した構造となっており、それぞれにコネクタ付きケーブル１３が取り付けられている。これらのコネクタ付きケーブル１３をほう縛したケーブルサポート１５は、ブックシェルフ実装構造１１の前面に図で水平方向に、かつ電子回路パッケージ１２の収容された位置の下部にそれぞれ固定されている。また、ケーブルサポート１５に収容するコネクタ付きケーブル１３の数が多くなったような場合にも、電子回路パッケージ１２を挿抜可能にするために、ブックシェルフ実装構造１１の間にはケーブル収納ユニット間スペース１６が配置される他、図１７に示したように同一ブックシェルフ実装構造１１に電子回路パッケージ１２が２段に配置されるような場合には、これら上段と下段の電子回路パッケージ１１の間に、ケーブル収納パッケージ間スペース１７が配置されるといった手法が採られている。
【０００４】
【発明が解決しようとする課題】
従来採用されたこのようなコネクタ付きケーブルの収容構造では、ケーブルサポート１５に収容されたコネクタ付きケーブル１３によって電子回路パッケージ１２の挿抜に支障が起こらないように、ケーブル収納パッケージ間スペース１７によって電子回路パッケージ１２の間の距離を十分にとる必要があったばかりでなく、ブックシェルフ実装構造１１同士の距離も同様に十分とる必要があった。すなわち、同一のブックシェルフ実装構造１１内に電子回路パッケージ１２を２段構成で収容したような場合には、ケーブル収納パッケージ間スペース１７の存在によって電子回路パッケージ１２間の間隔が大きくなる。この結果として、図示していないバックボードが大きくなって、プリント基板の材料取りが悪くなって原価高となるといった問題があった。また、大きくなったバックボードに実装された電子回路パッケージ１２の間の距離が長くなるので、信号の伝送路が長くなり、これによって信号の伝送特性を悪化させるといった問題もあった。
【０００５】
更に、ブックシェルフ実装構造１１の間にケーブル収納ユニット間スペース１６を配置した場合には、信号伝送用のケーブルが長くなることによる前記したと同様の問題が発生する他、所要数のブックシェルフ実装構造１１を搭載するために必要とされる架やキャビネットの高さがこの分だけ増加するといった問題もあった。
【０００６】
そこで本発明の目的は、電子回路パッケージの正面側にコネクタ付きケーブルを実装する場合であっても、これらパッケージの挿抜を可能とするためにパッケージの存在する領域以外に必要とされた上下方向の空間を不要とすることのできるコネクタ付きケーブルの収容構造を実現することにある。
【０００７】
【課題を解決するための手段】
請求項１記載の発明では、（イ）複数の電子回路パッケージを全体として本棚に並べた複数の本のように水平方向に挿抜自在に搭載した電子回路パッケージの搭載枠と、（ロ）これら複数の電子回路パッケージにそれぞれ接続されるコネクタ付ケーブルを収容し、収容時にはコネクタ付ケーブルの収容された部分を含めて全体として上下方向に所定の収容幅を有するケーブルサポートと、（ハ）このケーブルサポートを、その上限位置では収容幅の下端部がケーブルサポートの収容するコネクタ付ケーブルと接続された電子回路パッケージが水平方向に抜き出される際に通過する空間領域の下端位置よりも上側に位置し、下限位置では収容幅の上端部が空間領域の下端位置よりもよりも下側に位置するような範囲で、搭載枠に対して上下動自在に配置したスライド手段と、（ニ）このスライド手段を上限位置と下限位置の２つの位置を機械的な異なる２つの安定位置にそれぞれ対応させることでロックする２位置ロック手段とをコネクタ付きケーブルの収容構造に具備させる。
【０００８】
すなわち、請求項１記載の発明では複数の電子回路パッケージを本棚状に搭載した電子回路パッケージの搭載枠にスライド手段を介してケーブルサポートを取り付け、電子回路パッケージを搭載枠に対して挿抜するときにはこのケーブルサポートを下限位置まで移動させ、それ以外の場合には上限位置まで移動させて、それぞれ機械的な安定位置としてのこれらの２つの位置で選択的にロックさせるようにした。これにより、パッケージの存在する領域以外に必要とされた上下方向の空間を不要とすることができる。
【０００９】
また請求項２記載の発明では、請求項１記載の発明のケーブルサポートは雨樋状の形状をしておりこれにコネクタ付きケーブルをそれぞれの電子回路パッケージと対応する位置でほう縛するほう縛部が配置されていることを特徴としている。ほう縛部の位置がそれぞれの電子回路パッケージに対応しているので、個々のコネクタ付きケーブルをそれぞれの電子回路パッケージに正確かつ容易に対応付けることができる。
【００１０】
更に請求項３記載の発明では、請求項１記載の発明のケーブルサポートはＵ字状に曲げた丸棒を所定の水平面に一定間隔で平行に配置した構造となっており、これにコネクタ付きケーブルをそれぞれの電子回路パッケージと対応する位置でほう縛するほう縛部が配置されているので、個々のコネクタ付きケーブルをそれぞれの電子回路パッケージに正確かつ容易に対応付けることができる。
【００１１】
請求項４記載の発明では、請求項１記載の発明のコネクタ付きケーブルの収容構造で、（イ）スライド手段は電子回路パッケージの搭載枠に固定された固定部と、この固定部に対して上下動自在に配置された可動部を備え、（ロ）２位置ロック手段は、可動部が上限位置あるいは下限位置に移動したとき上下方向にその位置をロックする上下方向位置ロック手段と、押しボタンを有しこれを押した状態で上下方向位置ロック手段による上下方向の位置のロックを解除するロック解除手段とを具備することを特徴としている。
【００１２】
この請求項４記載の発明では、スライド手段が上下方向に可動な状態となっており、２位置ロック手段はこれを上限位置または下限位置まで移動させた後はケーブルサポートの位置がその点でロックされるようにしている。このロックを解除してスライド手段を再び今までと逆方向に移動させるようにするにはロックボタンを押すことになる。押しボタンが押されるとロックが解除され、スライド手段が再び上下動できるようになる。
【００１３】
【発明の実施の形態】
【００１４】
【実施例】
以下実施例につき本発明を詳細に説明する。
【００１５】
図１は本発明の一実施例におけるコネクタ付きケーブルの収容構造を側面から表わしたものである。この図では図示しない電子回路パッケージを２段配置したブックシェルフ実装に適用した例を示しており、それぞれのユニット搭載枠２１には、電子回路パッケージが紙面と平行に積層されるような形で収容されるようになっている。ユニット搭載枠２１の前面（この図で右側）には、連結部材２２が取り付けられている。この連結部材２２には、この図で示されていないスライド構造を介してストッパ保持板２４が取り付けられており、更にこれにケーブルサポート２５が取り付けられている。前記した電子回路パッケージにそれぞれ接続されたコネクタ付きケーブル２７は、このケーブルサポート２５に収納されている。
【００１６】
なお、この図１でケーブルサポート２５はそれぞれの下限位置に配置されている。この状態で仮に下側のユニット搭載枠２１の前面から電子回路パッケージを図で右方向に引き出そうとすると、図で上側のケーブルサポート２５１  の下部が障害となって引き出すことができない。
【００１７】
図２は、電子回路パッケージを引き出している状態を表わしたものである。このように、上側のケーブルサポート２５１  が図１の位置よりも上側に移動した結果として、電子回路パッケージ２８が引き出されている。電子回路パッケージ２８をこの図で下側のユニット搭載枠２１に挿入することも同様に可能になる。
【００１８】
図３は、本実施例のコネクタ付きケーブルの収容構造の要部について一部を切り欠いた状態で表わしたものである。前記したようにユニット搭載枠２１の前面には連結部材２２が取り付けられており、これにスライド構造３１の固定部３２が固定されている。スライド構造３１はこの固定部３２と、この両側部の折り曲げられた部分に沿って上下方向３３に移動自在とされた可動部３５とから構成されている。この紙面に平行に２枚の平板を所定の間隔で配置したような構造のストッパ保持板２４は、可動部３５にネジ３６によって固定されており、固定部３２の長手方向に沿って細長い開口部３８を配置している。
【００１９】
断面がコの字を時計方向に９０度回転させたような雨樋状の溝を備えたケーブルサポート２５は、この雨樋状の溝の部分にコネクタ付きケーブル３９を収納している。このケーブルサポート２５の溝を保持する基部２５Ａはストッパ保持板２４の水平方向（図で紙面に垂直方向）に折り曲げられた曲げ加工部にネジ４１によって締結されている。
【００２０】
連結部材２２には、断面がＬ字状となったＬ字状曲げ部４２の一端が固定されており、他端のこの紙面に垂直な部分が開口部３８の上半分の領域に差し込まれている。ストッパ４４はストッパ保持板２４によって挟持された形でその両面からネジ４６によって固定されている。このストッパ４４の上下方向の中央位置には押しボタン４７が進退自在に配置されている。この図では、押しボタン４７から突出した軸の他端に取り付けられたロック部４９の上側にＬ字状曲げ部４２の下部端面４２Ａが接触しており、上下方向に移動自在のケーブルサポート２５がその移動下限位置に位置決めされている。
【００２１】
図４〜図７は、ケーブルサポートが上方向に移動する際のＬ字状曲げ部とストッパの関係を時間の変化と共に表わしたものである。これらの図で一点鎖線５１は押しボタン４７が下限位置に存在するときのその中心軸の位置を表わしている。また、図６および図７に示した一点鎖線５２、５３はケーブルサポート２５（図３）の上方向の移動に伴って押しボタン４７が次第に上昇することを示すために押しボタン４７の中心軸の位置をそれぞれ示したものである。
【００２２】
図４に示した状態は図３に示したと同様の位置関係を示している。ストッパ４４には押しボタン４７の基部が挿抜自在な大径の第１の円柱穴とこの押しボタン４７の基部よりもかなり小径の第２の円柱穴５６が同一中心軸上に設けられており、押しボタン４７の基部とロック部４９の間の軸には、この基部とほぼ同一の外径を有するコイルバネ５７が配置されている。押しボタン４７が押されていない図４に示した状態では、ロック部４９の上部がＬ字状曲げ部の下部端面４２Ａと接触している。Ｌ字状曲げ部の下部端面４２Ａは上下方向に固定されているので、このままではケーブルサポート２５（図３）を上に向かって移動させることができない。すなわち、ケーブルサポート２５は移動下限位置に固定されている。
【００２３】
図５は、押しボタンを押した状態を表わしたものである。押しボタン４７を押すと、コイルバネ５５が圧縮されてロック部４９が後方（図で左方向）に移動する。すると、これよりも小径の軸５８がＬ字状曲げ部４２と対応する位置に移動する。Ｌ字状曲げ部４２の突出している量はわずかなので、この状態で軸５８がＬ字状曲げ部４２の側部端面を乗り越えることができる。すなわち、Ｌ字状曲げ部の下部端面４２Ａとの接触から開放され、ケーブルサポート２５（図３）を上に向かって移動させることが可能である。
【００２４】
図６は、ケーブルサポートを上に向かって移動させている状態を表わしたものである。押しボタン４７を押して軸５８がＬ字状曲げ部４２の側部端面に一度乗り上がれば、押しボタン４７を解除しても軸５８はこの側部端面と摺接した状態で上方向に移動することができる。したがって、この状態でケーブルサポート２５（図３）を上方向に持ち上げて移動させることができる。
【００２５】
図７は、ケーブルサポートが上限位置まで移動した状態を表わしたものである。一点鎖線５１で示した移動下限位置から上方向に距離Ｌだけ移動した一点鎖線５３で示した移動上限位置まで押しボタン４７が移動すると、コイルバネ５７の復元力でロック部４９が元の位置に戻り、このロック部４９がＬ字状曲げ部４２の上部端面４２Ｂと係止するので、ストッパ４４およびケーブルサポート２５（図３）は上限位置に位置決めされる。ストッパ４４のこれよりも上方向の移動は、図３に示した開口部３８にＬ字状曲げ部の下部端面４２Ａが当接することによって阻止される。この上限位置に位置決めされた状態で取扱い者が押しボタン４７を押せば、前記した動作と逆にケーブルサポート２５（図３）を図４に示した移動下限位置まで下降させることができる。
【００２６】
本実施例のロック部４９は４角柱の形状となっており、ストッパ保持板２４の間に挟まれるように配置されている。また、ロック部４９を取り付けた円柱状の軸５８は第２の円柱穴５６よりも僅かに小さな径となっており、かつ図７に示した状態でロック部４９の一方の端面はストッパ４４の側面と所定の圧力で接触している。したがって、図７に示したようにロック部４９がＬ字状曲げ部４２の上部端面４２Ｂと係止した状態でケーブルサポート２５（図３）の重さがこれに加わっても、ロック部４９に変形が生じたり、これが回転するといった事態は発生しない。
【００２７】
ところで、本実施例のスライド構造３１は、ケーブルサポート２５に加えられるコネクタ付きケーブル３７の重さや、ケーブルサポート２５が移動するときの捩り力に耐えると共に、捩り力が加わっても上下方向３３に正常に移動できる必要がある。本実施例では市販の機械要素部品としての直動式システムを使用しており上下方向３３に正常に移動できることが確認されている。
【００２８】
第１の変形例
【００２９】
以上説明した実施例のコネクタ付きケーブルの収容構造では、押しボタン４７を操作してケーブルサポート２５（図３）を手で持ち上げるようにしてこれを上方向に移動させることにした。本発明の第１の変形例ではハンドル操作によってケーブルサポート２５の上下方向の移動を実現する。
【００３０】
図８は、この変形例におけるコネクタ付きケーブルの収容構造を表わしたものである。先の実施例と同一部分には同一の符号を付しており、これらの説明を適宜省略する。この変形例では、ユニット搭載枠２１の前面に平行リンクのリンク固定部材６１を取り付けている。リンク固定部材６１には、ケーブルサポート２５を取り付けたリンク可動部材６２が取り付けられている。リンク固定部材６１とリンク可動部材６２の間は、平板リンク６３のピン継手で連結して一端とし、他端は操作用ハンドル６４のピン継手で連結して平行リンクを構成している。したがって、操作用ハンドル６４を矢印６６方向に回転させる操作のみで、ケーブルサポート２５を下方に移動させることができる。
【００３１】
図９および図１０は、この第１の変形例におけるケーブルサポートの上下方向の移動の様子を表わしたものである。このうち図９はケーブルサポート２５が上限位置に移動した状態であり、図１０は操作用ハンドル６４を矢印６６方向に回転させてケーブルサポート２５が下限位置まで下降した状態を表わしている。操作用ハンドル６４はユニット搭載枠２１（図８）の左右に１つずつ配置されている。したがって、これら一対の操作用ハンドル６４の先端を連結棒６７（図９、図１０）で連結するようにすれば、ケーブルサポート２５のより確実な移動動作が可能になる。
【００３２】
第２の変形例
【００３３】
図１１〜図１５は、本発明の第２の変形例を表わしたものである。このうち図１１はコネクタ付きケーブルの収容構造の要部を側面から表わしており、図１２はこれを正面から表わしたものである。また、図１３はこのコネクタ付きケーブルの収容構造を上面から表わしている。図１１〜図１３ではコネクタ付きケーブル２７（図８参照）を取り外した状態を表わしている。また、図１４および図１５はこれらのコネクタ付きケーブル２７を取り付けた状態を表わしている。この第２の変形例で先の実施例と同一部分には同一の符号を付しており、これらの説明を適宜省略することにする。
【００３４】
この第２の変形例では、ユニット搭載枠２１が左右に２個配置されており、またこのユニット搭載枠２１が上下に２段分割されている。これに伴って、上下２段に分割され、かつ左右に合計４つのケーブルサポート２５１Ｒ、２５１Ｌ、２５２Ｒ、２５２Ｌが配置されている。これらのケーブルサポート２５１Ｒ、２５１Ｌ、２５２Ｒ、２５２Ｌには、電子回路パッケージ２８の各位置に対応させて、図１３で白丸をマトリックス状に配置したようなほう縛部７１を設けている。
【００３５】
ほう縛部７１には図示しないがそれぞれ紐状の部材が付属しており、対応するコネクタ付きケーブル２７を結わえ、図１３で左方向にこれらを次第に纏めて配置している。このように各電子回路パッケージ２８の位置とほう縛部７１は予め対応付けられているので、電子回路パッケージ２８を挿抜するためにこの図のようにコネクタ付きケーブル２７を取り外した状態であっても、これを接続する対象の電子回路パッケージ２８を容易に判別することができる。
【００３６】
第３の変形例
【００３７】
図１６は本発明の第３の変形例を表わしたものである。この図１６でも先の実施例と同一部分には同一の符号を付しており、これらの説明を適宜省略する。この第３の変形例では、先の実施例および変形例で使用した雨樋状のケーブルサポート２５の代わりにＵ字状に曲げた丸棒を同一平面上に一定間隔で平行に配置してなるケーブルサポート８１を、押しボタン４７の操作によって上下動自在に配置されたスライド部材８２の側面に取り付けた構成となっている。
【００３８】
この第３の変形例では、先の実施例および変形例と異なりケーブルサポート８１自体が電子回路パッケージ２８（図１２等参照）の視界を遮ることがない。すなわち、ケーブルサポート８１のそれぞれのＵ字状の２本の腕の部分にはほう縛部が配置されており、この図には示していないコネクタ付きケーブルをこれらの場所で結わえ、これらの腕の部分に載置されるようにして、例えば図で左側の方向にケーブルを延ばすようになっている。したがって、電子回路パッケージの視界を遮るのはコネクタ付きケーブルのみであり、この例の場合には左側ほどケーブルの数が多くなるが、右側の視界は良い。
【００３９】
また、この第３の変形例でも電子回路パッケージの２列にＵ字状に曲げた丸棒が１つ配置されているので、これらの丸棒の各腕が１つの電子回路パッケージに対応している。したがって、この場合にもコネクタ付きケーブルの数が多くても、それぞれの接続先の電子回路パッケージを容易に判別することができる。
【００４０】
【発明の効果】
以上説明したように請求項１記載の発明によれば、複数の電子回路パッケージを本棚状に搭載した電子回路パッケージの搭載枠にスライド手段を介してケーブルサポートを取り付け、電子回路パッケージを搭載枠に対して挿抜するときにはこのケーブルサポートを下限位置まで移動させるようにした。また、これ以外の場合には上限位置まで移動させる。これにより、パッケージの存在する領域以外に必要とされた上下方向の空間を不要とすることができ、ブックシェルフ実装構造の電子回路パッケージの間隔を最小限にすることができるので、バックボードの材料取りが良くなり、高密度実装が可能になるので、信号伝送ケーブルを短くできるとともに、伝送効率を向上できるという効果がある。
【００４１】
また、請求項２および請求項３記載の発明では、電子回路パッケージの位置にそれぞれ対応させてコネクタ付きケーブルをほう縛するほう縛部を配置したので、これらのケーブル単位にケーブル編み出し位置を確定することができ、コネクタ付きケーブルの接続位置の間違いがなくなるという利点がある。
【００４２】
更に請求項３記載の発明によれば、ケーブルサポートはＵ字状に曲げた丸棒を所定の水平面に一定間隔で平行に配置した構造となっているので、ケーブルが少ない位置ではこの丸棒の部分を通して視界が良好になるという利点がある。
【００４３】
また請求項４記載の発明では、２位置ロック手段が存在するので、ケーブルサポートを普段の位置と電子回路パッケージを搭載枠に対して挿抜するための位置に簡単に位置合わせを行うことができる。また、押しボタンの操作でロックを解除することができるので操作性が良い。
【図面の簡単な説明】
【図１】本発明の一実施例におけるコネクタ付きケーブルの収容構造で電子回路パッケージを収納した状態を表わした側面図である。
【図２】本実施例で電子回路パッケージを引き出した状態を表わした側面図である。
【図３】本実施例のコネクタ付きケーブルの収容構造の要部について一部を切り欠いた状態で表わした側面図である。
【図４】本実施例でケーブルサポートが移動下限位置に配置されている状態におけるストッパとＬ字状曲げ部の関係を示す側面図である。
【図５】本実施例でケーブルサポートが移動下限位置に配置されている状態で押しボタンが押されたときの状態を示す側面図である。
【図６】本実施例でケーブルサポートが上に移動している状態でのストッパとＬ字状曲げ部の関係を示す側面図である。
【図７】本実施例でケーブルサポートが移動上限位置に配置されている状態におけるストッパとＬ字状曲げ部の関係を示す側面図である。
【図８】本発明の第１の変形例におけるコネクタ付きケーブルの収容構造を表わした側面図である。
【図９】第１の変形例でケーブルサポートが持ち上げられた状態のリンク構造を示す説明図である。
【図１０】第１の変形例でケーブルサポートが一番低い位置に下降した状態のリンク構造を示す説明図である。
【図１１】本発明の第２の変形例におけるコネクタ付きケーブルの収容構造の要部を示す側面図である。
【図１２】第２の変形例におけるコネクタ付きケーブルの収容構造を示す正面図である。
【図１３】第２の変形例におけるコネクタ付きケーブルの収容構造を示す平面図である。
【図１４】第２の変形例におけるコネクタ付きケーブルが主要された状態でのこのケーブルの収容構造の要部を示す側面図である。
【図１５】第２の変形例におけるコネクタ付きケーブルが主要された状態でのこのケーブルの収容構造を示す正面図である。
【図１６】本発明の第３の変形例におけるコネクタ付きケーブルが取り外された状態でのコネクタ付きケーブルの収容構造を示す斜視図である。
【図１７】従来の固定式ケーブルサポートによるコネクタ付きケーブルの収容構造を表わした正面図である。
【図１８】従来の固定式ケーブルサポートによるコネクタ付きケーブルの収容構造を表わした側面図である。
【符号の説明】
２１  ユニット搭載枠
２２  連結部材
２４  ストッパ保持板
２５  ケーブルサポート
２７  コネクタ付きケーブル
２８  電子回路パッケージ
３１  スライド構造
３２  固定部
３５  可動部
４２  Ｌ字状曲げ部
４４  ストッパ
４７  押しボタン
５７  コイルバネ
５８  軸
６１  リンク固定部材
６２  リンク可動部材
６３  平板リンク
６４  操作用ハンドル
６７  連結棒
７１  ほう縛部
【図１】
0003582926.tif 000002
【図２】
0003582926.tif 000003
【図３】
0003582926.tif 000004
【図４】
0003582926.tif 000005
【図５】
0003582926.tif 000006
【図６】
0003582926.tif 000007
【図７】
0003582926.tif 000008
【図８】
0003582926.tif 000009
【図９】
0003582926.tif 000010
【図１０】
0003582926.tif 000011
【図１１】
0003582926.tif 000012
【図１２】
0003582926.tif 000013
【図１３】
0003582926.tif 000014
【図１４】
0003582926.tif 000015
【図１５】
0003582926.tif 000016
【図１６】
0003582926.tif 000017
【図１７】
0003582926.tif 000018
【図１８】
0003582926.tif 000019